(57)【要約】【課題】  接続先の複数の装置から故障した装置を特定することができる光伝送装置及び故障検出方法を提供する。【解決手段】  光伝送装置は、共通の伝送路を介し複数の装置に接続された光伝送装置において、前記複数の装置に対し、前記伝送路への光出力の停止を指示する第１メッセージと、前記複数の装置の各々の識別子の送信を指示する第２メッセージとを送信する送信部と、前記第２メッセージの送信に応じて受信した前記識別子から、前記複数の装置のうち、故障した装置を特定する特定部とを有する。【選択図】図６
2018113584.tif 000002
【特許請求の範囲】
【請求項１】
共通の伝送路を介し複数の装置に接続された光伝送装置において、
前記複数の装置に対し、前記伝送路への光出力の停止を指示する第１メッセージと、前記複数の装置の各々の識別子の送信を指示する第２メッセージとを送信する送信部と、
前記第２メッセージの送信に応じて受信した前記識別子から、前記複数の装置のうち、故障した装置を特定する特定部とを有することを特徴とする光伝送装置。
【請求項２】
所定時間以上連続する前記複数の装置からの光入力を検出する検出部を有し、
前記送信部は、前記検出部が、前記所定時間以上連続する前記光入力を検出したとき、前記複数の装置に前記第1メッセージを送信することを特徴とする請求項１に記載の光伝送装置。
【請求項３】
前記送信部は、前記特定部が特定した前記故障した装置に、電源オフを指示する第３メッセージを送信することを特徴とする請求項１または２に記載の光伝送装置。
【請求項４】
前記送信部は、前記検出部が、前記所定時間以上連続する前記光入力を検出しなくなったとき、前記複数の装置のうち、前記故障した装置以外の各装置に、前記伝送路への光出力の再開を指示する第４メッセージを送信することを特徴とする請求項２に記載の光伝送装置。
【請求項５】
共通の伝送路を介し複数の装置に接続された光伝送装置において、
前記複数の装置に対し、前記伝送路への光出力の停止を指示する第１メッセージを送信する送信部と、
前記第１メッセージの送信に応じて受信した前記複数の装置の１つの識別子から、前記複数の装置のうち、故障した装置を特定する特定部とを有することを特徴とする光伝送装置。
【請求項６】
光伝送装置と共通の伝送路を介し接続された複数の装置の故障検出方法において、
前記複数の装置に対し、前記伝送路への光出力の停止を指示する第１メッセージを送信し、
前記複数の装置の各々の識別子の送信を指示する第２メッセージを送信し、
前記第２メッセージの送信に応じて受信した前記識別子から、前記複数の装置のうち、故障した装置を特定することを特徴とする故障検出方法。
【請求項７】
光伝送装置と共通の伝送路を介し接続された複数の装置の故障検出方法において、
前記複数の装置に対し、前記伝送路への光出力の停止を指示する第１メッセージを送信し、
前記第１メッセージの送信に応じて受信した前記複数の装置の何れかの識別子から、前記複数の装置のうち、故障した装置を特定することを特徴とする故障検出方法。
【発明の詳細な説明】
【技術分野】
【０００１】
本件は、光伝送装置及び故障検出方法に関する。
【背景技術】
【０００２】
マンションやオフィスなどの加入者宅に光通信サービスを提供する加入者系光アクセスシステムとして、ＰＯＮ（Passive Optical Network）システムが用いられている（例えば特許文献１〜３参照）。ＰＯＮシステムには、光通信サービスの提供者の局舎に設置される光端局装置（OLT: Optical Line Terminal）と、加入者宅などに設置される光終端装置（ONU: Optical Network Unit）とが含まれる。なお、ＰＯＮシステムとしては、例えばIEEE（Institute of Electrical and Electronics Engineers, Inc.）802.3ahやＩＴＵ−Ｔ（International Telecommunication Union Telecommunication Standardization Sector）勧告Ｇ．９８４．３に規定されたものが挙げられる。
【０００３】
ＯＬＴは、１本の光ファイバを光スプリッタにより複数本の光ファイバに分岐させてなる伝送路を介して複数台（例えば３２台）のＯＮＵと接続される。このため、ＰＯＮシステムの光ファイバの施設コストは、メディアコンバータなどのポイントツーポイントの光アクセスシステムと比較すると安価に抑えられる。
【先行技術文献】
【特許文献】
【０００４】
【特許文献１】特開２００４−１１２７４６号公報
【特許文献２】特開２０１３−１６２２３４号公報
【特許文献３】国際公開第２０１３／１４０４５４号
【発明の概要】
【発明が解決しようとする課題】
【０００５】
ＰＯＮシステムでは、複数台のＯＮＵが共通の光ファイバを介してＯＬＴと通信する。このため、ＯＬＴからＯＮＵに向かう下り方向では、ＯＬＴが各ＯＮＵ宛てのフレームを時分割多重して送信する。一方、ＯＮＵからＯＬＴに向かう上り方向では、各ＯＮＵは、ＯＬＴから個別に指定された送信タイミングでフレームを送信することにより、共通の光ファイバ内での各ＯＮＵのフレーム同士の衝突が回避される。
【０００６】
しかし、あるＯＮＵが、例えばドライバなどの故障によってＬＤ（Laser Diode）の光出力をオンオフ制御することができなくなった場合、ＬＤの光出力がオン状態に維持されるおそれがある。つまり、ＬＤが常に発光状態となるおそれがある。この場合、他のＯＮＵの送信タイミングでもそのＬＤから光が出力され続けるため、ＬＤの出力光と他のＯＮＵのフレームは衝突して互いに干渉する。
【０００７】
これにより、ＯＬＴは、ＯＮＵからフレームを正常に受信することができなくなるので、そのフレーム内のデータを取得することもできない。したがって、ＯＮＵに上記のような故障が発生しても、ＯＬＴではそのＯＮＵを特定することができないため、通信状態を迅速に復旧することができないという問題がある。
【０００８】
そこで本件は、接続先の複数の装置から故障した装置を特定することができる光伝送装置及び故障検出方法を提供することを目的とする。
【課題を解決するための手段】
【０００９】
１つの態様では、光伝送装置は、共通の伝送路を介し複数の装置に接続された光伝送装置において、前記複数の装置に対し、前記伝送路への光出力の停止を指示する第１メッセージと、前記複数の装置の各々の識別子の送信を指示する第２メッセージとを送信する送信部と、前記第２メッセージの送信に応じて受信した前記識別子から、前記複数の装置のうち、故障した装置を特定する特定部とを有する。
【００１０】
１つの態様では、光伝送装置は、共通の伝送路を介し複数の装置に接続された光伝送装置において、前記複数の装置に対し、前記伝送路への光出力の停止を指示する第１メッセージを送信する送信部と、前記第１メッセージの送信に応じて受信した前記複数の装置の１つの識別子から、前記複数の装置のうち、故障した装置を特定する特定部とを有する。
【００１１】
１つの態様では、故障検出方法は、光伝送装置と共通の伝送路を介し接続された複数の装置の故障検出方法において、前記複数の装置に対し、前記伝送路への光出力の停止を指示する第１メッセージを送信し、前記複数の装置の各々の識別子の送信を指示する第２メッセージを送信し、前記第２メッセージの送信に応じて受信した前記識別子から、前記複数の装置のうち、故障した装置を特定する方法である。
【００１２】
１つの態様では、故障検出方法は、光伝送装置と共通の伝送路を介し接続された複数の装置の故障検出方法において、前記複数の装置に対し、前記伝送路への光出力の停止を指示する第１メッセージを送信し、前記第１メッセージの送信に応じて受信した前記複数の装置の何れかの識別子から、前記複数の装置のうち、故障した装置を特定する。
【発明の効果】
【００１３】
１つの側面として、接続先の複数の装置から故障した装置を特定することができる。
【図面の簡単な説明】
【００１４】
【図１】ＰＯＮシステムの一例を示す構成図である。
【図２】ＯＬＴの一例を示す構成図である。
【図３】ＯＮＵの一例を示す構成図である。
【図４】通常時及び故障時の上り光信号の一例を示す図である。
【図５】通常時及び故障時のリンク確認処理の一例を示すシーケンス図である。
【図６】故障したＯＮＵの特定処理の一例を示すシーケンス図である。
【図７】光出力停止メッセージを含む下りフレームの一例を示す図である。
【図８】リンク確認応答メッセージを含む上りフレームの一例を示す図である。
【図９】通信状態の復旧処理の一例を示すシーケンス図である。
【図１０】電源オフメッセージを含む下りフレームの一例を示す図である。
【図１１】光出力停止解除メッセージを含む下りフレームの一例を示す図である。
【図１２】故障したＯＮＵの特定処理の他例を示すシーケンス図である。
【図１３】ＯＮＵ−ＩＤを通知するデータパタンの一例を示す図である。
【図１４】ＯＮＵの他例を示す構成図である。
【発明を実施するための形態】
【００１５】
図１は、ＰＯＮシステムの一例を示す構成図である。ＰＯＮシステムは、光通信サービスの提供者の局舎に設置される光端局装置（ＯＬＴ）１と、加入者宅などに設置されるＮ台（Ｎ：２以上の整数）の光終端装置（ＯＮＵ）２とが含まれる。本例において、ＯＬＴ１からＯＮＵ２に向かう伝送方向を下り方向Ｒｄと定義し、ＯＮＵ２からＯＬＴ１に向かう伝送方向を上り方向Ｒｕと定義する。なお、ＯＬＴ１は光伝送装置の一例であり、Ｎ台のＯＮＵ２はＯＬＴ１の接続先の一例である。また、ＰＯＮシステムとしては、例えばIEEE802.3ahやＩＴＵ−Ｔ勧告G.984.3に規定されたものが挙げられるが、これに限定されない。
【００１６】
ＯＬＴ１は、１本の光ファイバ９０を光スプリッタ９２により複数本の光ファイバ９３に分岐させてなる伝送路を介してＮ台のＯＮＵ（＃１〜＃Ｎ）２と接続される。＃１〜＃Ｎは、ＯＮＵ２を識別するためのＯＮＵ−ＩＤ（つまり識別子）である。
【００１７】
ＰＯＮシステムでは、Ｎ台のＯＮＵ２が共通の光ファイバ９０を介してＯＬＴ１と通信する。このため、下り方向Ｒｄでは、符号Ｇ１で示されるように、ＯＬＴ１が各ＯＮＵ２宛ての下りフレームＦｄ（＃１〜＃Ｎ）を時分割多重して送信する。なお、下りフレームＦｄの並び順は、ＯＬＴ１における各ＯＮＵ２宛ての下りフレームＦｄの統計多重処理に依存するため、本例に限定されない。また、光ファイバ９０は、ＯＬＴ１をＮ台のＯＮＵ２に接続する共通の伝送路の一例である。
【００１８】
一方、上り方向Ｒｕでは、符号Ｇ２で示されるように、各ＯＮＵ２は、ＯＬＴ１から予め個別に指定された送信タイミングで上りフレームＦｕ（＃１〜＃Ｎ）を送信することにより、共通の光ファイバ９０内での各ＯＮＵ２の上りフレームＦｕ同士の衝突が回避される。なお、上りフレームＦｕ及び下りフレームＦｄの形態としては、例えばイーサネット（登録商標）フレームが挙げられるが、これに限定されない。
【００１９】
しかし、一例として、ＯＮＵ（＃１）２が、例えばドライバなどの故障によってＬＤの光出力をオンオフ制御することができなくなった場合、ＬＤの光出力がオン状態に維持されるおそれがある。つまり、ＬＤが常に発光状態となるおそれがある。この場合、他のＯＮＵ（＃２〜＃Ｎ）２の送信タイミングでもそのＬＤから光が出力され続けるため、符号Ｇ３で示されるように、ＬＤの出力光と他のＯＮＵ（＃２〜＃Ｎ）２の上りフレームＦｕ（＃２〜＃Ｎ）は衝突して互いに干渉する。
【００２０】
これにより、ＯＬＴ１は、ＯＮＵ２から上りフレームＦｕを正常に受信することができなくなるので、その上りフレームＦｕ内のデータを取得することもできない。したがって、ＯＮＵ（＃１）２に上記のような故障が発生しても、ＯＬＴ１ではそのＯＮＵ（＃１）２を特定することができないため、通信状態を迅速に復旧することができない。
【００２１】
そこで、本例のＯＬＴ１は、各ＯＮＵ２に対しＬＤの光出力を停止するように指示し、さらにリンク確認メッセージを含む下りフレームＦｄを各ＯＮＵ２宛てに送信することにより故障のＯＮＵ（＃１）２からのみリンク応答メッセージを含む上りフレームＦｕを受信する。そして、ＯＬＴ１は、受信したリンク応答メッセージの上りフレームＦｕの送信元（つまりＯＮＵ２の識別子）から故障したＯＮＵ（＃１）２を特定する。
【００２２】
図２は、ＯＬＴ１の一例を示す構成図である。ＯＬＴ１は、ＣＰＵ（Central Processing Unit）１０、ＲＯＭ（Read Only Memory）１１、ＲＡＭ（Random Access Memory）１２、ハードウェアインターフェース（HW-IF）１３、及びネットワークインターフェース（NW-IF）１４を有する。
【００２３】
また、ＯＬＴ１は、送信フレーム処理部１５０、受信フレーム処理部１５１、送信器１６０、受信器１６１、及び光合分波部１７を有する。ＨＷ−ＩＦ１３、ＮＷ−ＩＦ１４、送信フレーム処理部１５０、及び受信フレーム処理部１５１は、例えばＦＰＧＡ（Field programmable Gate Array）などのハードウェアにより構成されるが、これに限定されず、ソフトウェアにより構成されてもよい。
【００２４】
光合分波部１７は、例えばＷＤＭ（Wavelength Division Multiplexer）カプラであり、３つのポートを介し光ファイバ９０、送信器１６０、及び受信器１６１に接続されている。光合分波部１７は、点線で示されるように、送信器１６０から入力された下り方向Ｒｄの光信号Ｓｄを光ファイバ９０に導き、光ファイバ９０から入力された上り方向Ｒｕの光信号Ｓｕを受信器１６１に導く。
【００２５】
受信器１６１は、例えばフォトダイオード（ＰＤ）などから構成され、光信号Ｓｕを電気信号に変換することにより光信号Ｓｕから上りフレームＦｕのフレームデータＤｕを取得する。受信器１６１は、各ＯＮＵ２に割り当てられた送信タイミングに基づき、各ＯＮＵ２からの上りフレームＦｕ（＃１〜＃Ｎ）を識別する。
【００２６】
また、受信器１６１は、各ＯＮＵ２からの光入力（光信号Ｓｕ）を検出したとき、光入力検出信号ＤＥＴを出力する。光入力検出信号ＤＥＴは、例えば光入力が検出されている期間では信号電圧がハイレベルになり、光入力が検出されない期間では信号電圧がローレベルとなる。受信器１６１は、フレームデータＤｕと光入力検出信号ＤＥＴを受信フレーム処理部１５１に出力する。
【００２７】
受信フレーム処理部１５１は、各ＯＮＵ２からの上りフレームＦｕを処理する。受信フレーム処理部１５１は、フレームデータＤｕが制御フレームのデータである場合、フレームデータＤｕからメッセージＭＳＧｕを取り出してＨＷ−ＩＦ１３に出力する。メッセージＭＳＧｕは、ＯＮＵ２からＯＬＴ１宛てに送信された制御情報である。
【００２８】
また、受信フレーム処理部１５１は、ＨＷ−ＩＦ１３を介し、通知ＮＴＦをＣＰＵ１０に出力する。例えば、受信フレーム処理部１５１は、光入力検出信号ＤＥＴに基づきバースト光エラーを検出して、その旨の通知ＮＴＦを出力する。より具体的には、受信フレーム処理部１５１は、光入力検出信号ＤＥＴから、光入力が所定時間以上連続したことを検出する。
【００２９】
これにより、受信フレーム処理部１５１は、図１の符号Ｇ３で示されるように、故障のＯＮＵ（＃１）から光出力が連続して入力されていることを検出する。すなわち、受信フレーム処理部１５１は、検出部の一例であり、所定時間Ｋ以上連続するＯＮＵ２からの光入力を検出する。なお、所定時間Ｋは、上りフレームＦｕの時間より大きい値に設定される。また、受信フレーム処理部１５１は、メッセージＭＳＧｕを除くフレームデータＤｕからデータ信号を生成してＮＷ−ＩＦ１４に出力する。
【００３０】
ＮＷ−ＩＦ１４は、受信フレーム処理部１５１から入力されたデータ信号を、例えばフォーマット変換して上流側のネットワークに出力する。また、ＮＷ−ＩＦ１４は、上流側のネットワークから受信したデータ信号を、例えばフォーマット変換して送信フレーム処理部１５０に出力する。
【００３１】
送信フレーム処理部１５０は、ＮＷ−ＩＦ１４からのデータ信号とＨＷ−ＩＦ１３から入力されたメッセージＭＳＧｄから下りフレームＦｄのフレームデータＤｄを生成し、送信器１６０に出力する。メッセージＭＳＧｄは、ＯＬＴ１からＯＮＵ２宛てに送信された制御情報である。送信フレーム処理部１５０は、各ＯＮＵ２宛てのフレームデータＤｄを時分割多重する。送信器１６０は、例えばＬＤや変調器から構成され、フレームデータＤｄを光信号Ｓｄに変換して光合分波部１７に出力する。
【００３２】
ＣＰＵ１０は、互いに信号の入出力ができるように、ＲＯＭ１１、ＲＡＭ１２、及びＨＷ−ＩＦ１３と、バス１９を介して接続されている。ＲＯＭ１１は、ＣＰＵ１０を駆動するプログラムが格納されている。ＲＡＭ１２は、ＣＰＵ１０のワーキングメモリとして機能する。ＨＷ−ＩＦ１３は、ＣＰＵ１０と送信フレーム処理部１５０及び受信フレーム処理部１５１の通信を中継する。
【００３３】
ＣＰＵ１０は、ＲＯＭ１１からプログラムを読み込むと、機能として、動作制御部１００、リンク確認部１０１、光出力指示部１０２、故障特定部１０３、及び電源指示部１０４が形成される。動作制御部１００はＯＬＴ１の全体の動作を制御する。動作制御部１００は、リンク確認部１０１、光出力指示部１０２、故障特定部１０３、及び電源指示部１０４に対して動作を指示する。なお、上記の各部１００〜１０４は、例えばＦＰＧＡなどのハードウェアにより構成されてもよい。
【００３４】
リンク確認部１０１は、周期的にＯＬＴ１と各ＯＮＵ２のリンクの確立状態を確認する。リンク確認部１０１は、下り方向ＲｄのメッセージＭＳＧｄの１つとして、各ＯＮＵ２に送信するリンク確認メッセージを生成してＨＷ−ＩＦ１３に出力する。リンク確認メッセージは下りフレームＦｄに収容されて、光信号Ｓｄとして各ＯＮＵ２に送信される。
【００３５】
また、リンク確認部１０１は、各ＯＮＵ２からの上りフレームＦｕに収容されたリンク応答メッセージＭＳＧｕをＨＷ−ＩＦ１３から受信する。リンク確認部１０１は、リンク応答メッセージＭＳＧｕに基づき、その送信元のＯＮＵ２との間のリンクが確立されていることを確認する。リンク確認部１０１は、リンク応答メッセージの送信元ＭＡＣアドレスから送信元のＯＮＵ２のＯＮＵ−ＩＤを取得する。
【００３６】
すなわち、リンク確認部１０１は、リンク確認メッセージの送信により各ＯＮＵ２に対しＯＮＵ−ＩＤの送信を指示する。なお、リンク確認メッセージは第２メッセージの一例である。
【００３７】
光出力指示部１０２は、各ＯＮＵ２の光ファイバ９０，９３への光出力を制御する。光出力指示部１０２は、下り方向ＲｄのメッセージＭＳＧｄの１つとして、各ＯＮＵ２に光出力の停止を指示する光出力停止メッセージを生成してＨＷ−ＩＦ１３に出力する。
【００３８】
故障したＯＮＵ（＃１）は、光出力停止メッセージに応じてＬＤの光出力の停止制御を行っても、後述するように、例えばＬＤのドライバが正常に動作しないため、光出力は停止しない。これに対し、正常なＯＮＵ（＃２〜＃Ｎ）２は、光出力停止メッセージに応じてＬＤの光出力の停止制御を行うことで光出力が停止する。なお、光出力停止メッセージは第１メッセージの一例である。
【００３９】
これにより、光出力指示部１０２は、故障したＯＮＵ（＃１）２以外のＯＮＵ（＃２〜＃Ｎ）の光出力を停止することができる。このため、ＯＬＴ１は、故障したＯＮＵ（＃１）２のリンク確認応答メッセージを正常に受信することができる。
【００４０】
より具体的には、光出力指示部１０２は、バースト光エラーの通知ＮＴＦを受けると、光出力停止メッセージを生成する。つまり、光出力指示部１０２は、受信フレーム処理部１５１が、所定時間Ｋ以上連続する光入力（連続光）を検出したとき、各ＯＮＵ２に光出力停止メッセージを送信する。このため、光出力指示部１０２は、ＯＮＵ（＃１）２の故障が発生したときに自動的に光出力停止メッセージを各ＯＮＵ２に送信することができる。
【００４１】
故障特定部１０３は、光出力指示部１０２が光出力停止メッセージを出力した後、リンク確認部１０１が受信したリンク応答メッセージの送信元アドレスから、故障したＯＮＵ（＃１）２を特定する。すなわち、故障特定部１０３は、特定部の一例であり、リンク確認メッセージに応じて受信したＯＮＵ−ＩＤ（本例では＃１）から故障したＯＮＵ（＃１）２を特定する。これにより、ＯＬＴ１は、故障したＯＮＵ（＃１）２を特定することができる。
【００４２】
電源指示部１０４は、故障特定部１０３が特定した、故障したＯＮＵ（＃１）２のＬＤの電源をオフにする。電源指示部１０４は、故障したＯＮＵ（＃１）２に、ＬＤの電源オフを指示する電源オフメッセージを送信する。このため、電源指示部１０４は、故障したＯＮＵ（＃１）２の光出力を停止して、ＰＯＮシステムの通信を復旧させることができる。
【００４３】
また、電源オフの対象は、ＯＮＵ（＃１）２のＬＤに限られず、ＯＮＵ（＃１）２の装置電源であってもよい。なお、電源オフメッセージは第３メッセージの一例である。また、リンク確認部１０１、光出力指示部１０２、及び電源指示部１０４は、各メッセージを送信する送信部の一例である。
【００４４】
また、光出力指示部１０２は、故障したＯＮＵ（＃１）２の光出力が停止した後、他のＯＮＵ（＃２〜＃Ｎ）２の光出力を再開させる。より具体的には、光出力指示部１０２は、バースト光エラーの解除の通知ＮＴＦを受けると、光出力停止解除メッセージを他のＯＮＵ（＃２〜＃Ｎ）２に送信する。
【００４５】
すなわち、光出力指示部１０２は、受信フレーム処理部１５１が、所定時間Ｋ以上連続する光入力（連続光）を検出しなくなったとき、ＯＮＵ（＃２〜＃Ｎ）２に、光出力停止解除メッセージを送信することにより光ファイバ９０，９３への光出力の再開を指示する。なお、光出力停止解除メッセージは、ＯＮＵ（＃２〜＃Ｎ）２に、光ファイバ９０，９３への光出力の再開を指示する第４メッセージの一例である。
【００４６】
図３は、ＯＮＵ２の一例を示す構成図である。ＯＮＵ２は、ＣＰＵ２０、ＲＯＭ２１、ＲＡＭ２２、ＨＷ−ＩＦ２３、ＮＷ−ＩＦ２４、受信フレーム処理部２５０、送信フレーム処理部２５１、ドライバ２６０，２６１、ＰＤ（Photo Diode）２７０、ＬＤ２７１、スイッチ部（ＳＷ）２７２、及び電源ユニット（ＰＵ:Power Unit）２７３を有する。ＨＷ−ＩＦ２３、ＮＷ−ＩＦ２４、送信フレーム処理部２５１、及び受信フレーム処理部２５０は、例えばＦＰＧＡなどのハードウェアにより構成されるが、これに限定されず、ソフトウェアにより構成されてもよい。また、ドライバ２６０，２６１は例えばＡＳＩＣ（Application Specified Integrated Circuit）により構成される。
【００４７】
光合分波部２８は、例えばＷＤＭカプラであり、３つのポートを介し光ファイバ９３、ＰＤ２７０、及びＬＤ２７１に接続されている。光合分波部２８は、点線で示されるように、ＬＤ２７１から入力された上り方向Ｒｕの光信号Ｓｕを光ファイバ９３に導き、光ファイバ９３から入力された下り方向Ｒｄの光信号ＳｄをＰＤ２７０に導く。
【００４８】
ＰＤ２７０は、光信号Ｓｄを電気信号に変換してドライバ２６０に出力する。ドライバ２６０は、電気信号から下りフレームＦｄのフレームデータＤｄを取得して受信フレーム処理部２５０に出力する。
【００４９】
受信フレーム処理部２５０は、各ＯＮＵ（＃１〜＃Ｎ）２宛ての下りフレームＦｄ（＃１〜＃Ｎ）から、自己のＯＮＵ−ＩＤに該当する下りフレームＦｄを選択して処理し、他のＯＮＵ２宛ての下りフレームＦｄを廃棄する。受信フレーム処理部２５０は、フレームデータＤｄが制御フレームのデータである場合、フレームデータＤｄからメッセージＭＳＧｄを取り出してＨＷ−ＩＦ２３に出力する。また、受信フレーム処理部２５０は、メッセージＭＳＧｄを除くフレームデータＤｄからデータ信号を生成してＮＷ−ＩＦ２４に出力する。
【００５０】
ＮＷ−ＩＦ２４は、受信フレーム処理部２５０から入力されたデータ信号を、例えばフォーマット変換し下流側のネットワークに出力する。また、ＮＷ−ＩＦ２４は、下流側のネットワークから受信したデータ信号を、例えばフォーマット変換して送信フレーム処理部２５１に出力する。
【００５１】
送信フレーム処理部２５１は、ＮＷ−ＩＦ２４からのデータ信号とＨＷ−ＩＦ２３から入力されたメッセージＭＳＧｕから上りフレームＦｕのフレームデータＤｄを生成し、あらかじめＯＬＴ１から通知された送信タイミングでドライバ２６１に出力する。また、送信フレーム処理部２５１は、ＣＰＵ２０からＨＷ−ＩＦ２３を介して入力された光出力停止指示信号ＣＮＴに応じてドライバ２６１を制御する。
【００５２】
送信フレーム処理部２５１は、ＬＤ２７１のドライバ２６１を制御することにより上りフレームＦｕの送信処理を行う。送信フレーム処理部２５１は、ＮＷ−ＩＦ２４から入力されたデータ信号からフレームデータＤｕを生成してドライバ２６１に出力するとともに、フレームデータＤｕにおける上りフレームＦｕの出力期間を通知するバースト制御信号ＢＳＴをドライバ２６１に出力する。バースト制御信号ＢＳＴの信号電圧は、フレームデータＤｕが上りフレームＦｕである場合にハイレベルを示し、フレームデータＤｕがダミーの固定パタンである場合にローレベルを示す。
【００５３】
ドライバ２６１は、例えばＡＳＩＣなどから構成され、フレームデータＤｕ及びバースト制御信号ＢＳＴによりＬＤ２７１を駆動する。より具体的には、ドライバ２６１は、バースト制御信号ＢＳＴのＯＮ領域の期間内のフレームデータＤｕをＬＤ２７１に出力する。このため、ＬＤ２７１は、その期間内のフレームデータＤｕを光信号Ｓｕに変換して送信する。
【００５４】
図４は、通常時及び故障時の上り光信号Ｓｕの一例を示す図である。図４には、横軸を時間として、送信フレーム処理部２５１からドライバ２６１に出力されるフレームデータＤｕ及びバースト制御信号ＢＳＴと、ＬＤ２７１から光ファイバ９３に出力される光信号Ｓｕとが示されている。なお、ドライバ２６１及びＬＤ２７１内の信号遅延はないと仮定する。
【００５５】
送信フレーム処理部２５１は、ＯＬＴ１から割り当てられた送信タイミングＴｓにおいて上りフレームＦｕをフレームデータＤｕとして出力し、上りフレームＦｕの出力期間以外ではダミーの固定パタンをフレームデータＤｕとして出力する。
【００５６】
バースト制御信号ＢＳＴは、通常時、上りフレームＦｕの出力期間では信号電圧がハイレベル（ＯＮ領域）となり、それ以外の期間では信号電圧がローレベル（ＯＦＦ領域）となるように制御される。このため、ＬＤ２７１は、上りフレームＦｕのみを光信号Ｓｕに変換して送信する。しかし、例えば、ドライバ２６１または送信フレーム処理部２５１の信号駆動バッファ回路が故障した時、バースト制御信号ＢＳＴは、制御不可能となり、例えば信号電圧がハイレベルに固定されてしまう。
【００５７】
この場合、ＬＤ２７１には、上りフレームＦｕだけではなく、固定パタンまで入力されてしまうため、ＬＤ２７１は、上りフレームＦｕ及び固定パタンを光信号Ｓｕに変換して送信する。これにより、ＬＤ２７１の光出力が維持されるため、上述したようにＯＬＴ１が上りフレームＦｕを正常に受信することができなくなる。
【００５８】
再び図３を参照すると、ＳＷ２７２は、電源ユニット２７３からＬＤ２７１への給電をオンまたはオフする。電源ユニット２７３は、ＬＤ２７１の電源の一例であるが、ＬＤ２７１だけでなくＯＮＵ２の装置電源であってもよい。ＳＷ２７２は、ＣＰＵ２０からＨＷ−ＩＦ２３を介してオンオフ制御される。
【００５９】
ＣＰＵ２０は、互いに信号の入出力ができるように、ＲＯＭ２１、ＲＡＭ２２、及びＨＷ−ＩＦ２３と、バス２９を介して接続されている。ＲＯＭ２１は、ＣＰＵ２０を駆動するプログラムが格納されている。ＲＡＭ２２は、ＣＰＵ２０のワーキングメモリとして機能する。ＨＷ−ＩＦ２３は、ＣＰＵ２０と送信フレーム処理部２５１、受信フレーム処理部２５０、及びＳＷ２７２の通信を中継する。
【００６０】
ＣＰＵ２０は、ＲＯＭ２１からプログラムを読み込むと、機能として、動作制御部２００、リンク応答部２０１、光出力制御部２０２、及び電源制御部２０３が形成される。動作制御部２００はＯＬＴ１の全体の動作を制御する。動作制御部２００は、リンク応答部２０１、光出力制御部２０２、及び電源制御部２０３対して動作を指示する。なお、上記の各部２００〜２０３は、例えばＦＰＧＡなどのハードウェアにより構成されてもよい。
【００６１】
リンク応答部２０１は、ＯＬＴ１からＨＷ−ＩＦ２３を介してリンク確認フレームを受信する。リンク応答部２０１は、リンク確認フレームに応じてリンク応答フレームを、ＨＷ−ＩＦ２３を介してＯＬＴ１に送信する。
【００６２】
図５は、通常時及び故障時のリンク確認処理の一例を示すシーケンス図である。符号Ｇ４は通常時のリンク確認処理を示し、符号Ｇ５は故障時のリンク確認処理を示す。
【００６３】
通常時、ＯＬＴ１は、各ＯＮＵ（＃１〜＃Ｎ）２にリンク確認メッセージ（ＭＳＧ）を送信すると、各ＯＮＵ２は、リンク確認メッセージに応じリンク応答メッセージ（ＭＳＧ）をＯＬＴ１に送信する。一方、故障時、故障したＯＮＵ（＃１）２のリンク応答メッセージをＯＬＴ１に送信できるが、他のＯＮＵ（＃２〜＃Ｎ）２はリンク応答メッセージを送信しても、リンク応答メッセージは光ファイバ９０内での光信号Ｓｕの衝突により破壊される。また、ＯＬＴ１は、光信号Ｓｕ同士の衝突による干渉のため、故障したＯＮＵ（＃１）２のリンク応答メッセージを正常に受信することができない。
【００６４】
再び図３を参照すると、光出力制御部２０２は、ＯＬＴ１からＨＷ−ＩＦ２３を介して光出力停止メッセージを受信する。光出力制御部２０２は、光出力停止メッセージを受信すると、ＨＷ−ＩＦ２３を介して光出力停止指示信号ＣＮＴを送信フレーム処理部２５１に出力する。
【００６５】
このとき、正常なＯＮＵ（＃２〜＃Ｎ）２の送信フレーム処理部２５１は、光出力停止指示信号ＣＮＴに応じてバースト制御信号ＢＳＴの信号電圧をローレベルに固定する。このため、ＬＤ２７１にはフレームデータＤｕが入力されず、ＬＤ２７１は光信号Ｓｕの送信を停止する。つまり、正常なＯＮＵ（＃２〜＃Ｎ）２は、光出力停止メッセージに応じて光出力を停止する。
【００６６】
一方、故障したＯＮＵ（＃１）２の送信フレーム処理部２５１は、光出力停止指示信号ＣＮＴに応じてバースト制御信号ＢＳＴの信号電圧をローレベルに固定するように制御するが、故障のため、バースト制御信号ＢＳＴの信号電圧はハイレベルのままとなる。このため、ＬＤ２７１からの光出力が維持される。
【００６７】
したがって、ＯＬＴ１は、光出力停止メッセージを各ＯＮＵ２に送信することにより、正常なＯＮＵ（＃２〜＃Ｎ）２の光出力を停止し、故障したＯＮＵ（＃１）２の光信号Ｓｕのみを受信することができる。このため、ＯＬＴ１は、故障したＯＮＵ（＃１）２のリンク応答メッセージからそのＯＮＵ−ＩＤ（＃１）を特定することができる。
【００６８】
また、電源制御部２０３は、ＯＬＴ１からＨＷ−ＩＦ２３を介して電源オフメッセージを受信する。電源制御部２０３は、電源オフメッセージを受信すると、ＨＷ−ＩＦ２３を介してＳＷ２７２をオフ制御する。つまり、電源制御部２０３は、電源オフメッセージに応じてＬＤ２７１を電源オフし光出力を停止する。なお、電源制御部２０３は、電源オフメッセージに応じてＯＮＵ２の装置電源をオフにしてもよい。
【００６９】
ＯＬＴ１は、後述するように、故障したＯＮＵ（＃１）２の特定後、そのＯＮＵ（＃１）２に対し電源オフメッセージを送信する。また、ＯＬＴ１は、故障したＯＮＵ（＃１）２の光出力の停止後、他のＯＮＵ（＃２〜＃Ｎ）２に光出力停止解除メッセージを送信する。
【００７０】
光出力制御部２０２は、ＯＬＴ１からＨＷ−ＩＦ２３を介して光出力停止解除メッセージを受信する。光出力制御部２０２は、光出力停止解除メッセージを受信すると、ＨＷ−ＩＦ２３を介した送信フレーム処理部２５１への光出力停止指示信号ＣＮＴの出力を停止する。
【００７１】
送信フレーム処理部２５１は、光出力停止指示信号ＣＮＴの出力が停止されると、バースト制御信号ＢＳＴの信号電圧を通常時と同様に制御する（図４参照）。このため、ＬＤ２７１は光信号Ｓｕの送信を再開する。つまり、正常なＯＮＵ（＃２〜＃Ｎ）２は、光出力停止解除メッセージに応じて光出力を停止する。
【００７２】
図６は、故障したＯＮＵ（＃１）２の特定処理の一例を示すシーケンス図である。本例では、ＯＮＵ（＃１）２が故障した場合を挙げるが、他のＯＮＵ（＃２〜＃Ｎ）２が故障した場合も下記と同様の手順で特定処理が行われる。これは他のシーケンス図の処理についても同様である。なお、本例の特定処理は、実施例の故障検出方法の一例である。
【００７３】
ＯＮＵ（＃１）２は、故障するとＬＤ２７１からバースト光ではなく連続光が出力される。ＯＬＴ１は、ＯＮＵ（＃１）２から連続光が入力されると、光入力検出信号ＤＥＴに基づいて受信フレーム処理部１５１によりバースト光エラーを検出する（符号Ｓ１）。次に、ＯＬＴ１は、光出力指示部１０２により光出力停止メッセージ（ＭＳＧ）を生成する（符号Ｓ２）。ＯＬＴ１は、光出力停止メッセージを含む下りフレームＦｄを送信器１６０から各ＯＮＵ（＃１〜＃Ｎ）２に送信する。このように、ＯＬＴ１は、光出力停止メッセージの送信により各ＯＮＵ（＃１〜＃Ｎ）２に光停止の出力停止を指示する。
【００７４】
図７は、光出力停止メッセージを含む下りフレームＦｄの一例を示す図である。下りフレームＦｄには、送信元アドレスであるＳＡ（Source Address）、宛先アドレスであるＤＡ（Destination Address）、タイプ（0x8808（0xは16進数表記））、及び、光出力停止メッセージの識別コードであるＯｐｃｏｄｅ（0x07）を含む。
【００７５】
下りフレームＦｄには、さらに、通信プロトコルの制御などに用いられる「Timestamp」、「Number of Grants/Flags」、「Grants#1 Start time」、「Grants#1 Length」、及び「Synch Time」と、フレーム長の調整用のＰａｄｄｉｎｇ領域と、符号誤り訂正のためのＦＣＳ（Frame Check Sequence）とが含まれる。なお、「サイズ」は各領域のデータサイズ（Octet）を示す。
【００７６】
再び図６を参照すると、各ＯＮＵ（＃１〜＃Ｎ）２は、光出力停止メッセージを含む下りフレームＦｄを受信すると、光出力制御部２０２から光出力停止指示信号ＣＮＴを出力することによりＬＤ２７１の光出力を停止制御する（符号Ｓ３）。故障したＯＮＵ（＃１）２は、上述したようにバースト制御信号ＢＳＴの信号電圧が制御不可能であるため、光出力停止指示信号ＣＮＴによりＬＤ２７１の光出力を停止することができず、光出力の停止制御は失敗する（符号Ｓ４）。また、他のＯＮＵ（＃２〜＃Ｎ）２は、光出力停止指示信号ＣＮＴによりＬＤ２７１の光出力を停止することができるため、光出力の停止制御は成功する（符号Ｓ５）。
【００７７】
次に、ＯＬＴ１は、リンク確認部１０１により周期的にリンク確認メッセージ（ＭＳＧ）を含む下りフレームＦｄを生成し、各ＯＮＵ（＃１〜＃Ｎ）２に送信する。正常なＯＮＵ（＃２〜＃Ｎ）２は光出力を停止しているため、リンク確認メッセージに応じてリンク応答メッセージを送信することができない。しかし、故障したＯＮＵ（＃１）２は、光出力が維持されているため、リンク確認メッセージに応じてリンク応答メッセージを送信する。
【００７８】
図８は、リンク確認応答メッセージを含む上りフレームＦｕの一例を示す図である。上りフレームＦｕには、送信元アドレスであるＳＡ、宛先アドレスであるＤＡ、タイプ（0x8808）、及び、リンク確認応答メッセージの識別コードであるＯｐｃｏｄｅ（0x08）を含む。ここで、ＳＡは、ＯＮＵ−ＩＤに対応し、ＯＬＴ１において、故障したＯＮＵ（＃１）２の特定に用いられる。
【００７９】
上りフレームＦｕには、さらに、通信プロトコルの制御などに用いられる「Timestamp」、「Flags」、及び「Padding Grants」と、フレーム長の調整用のｐａｄｄｉｎｇ領域と、符号誤り訂正のためのＦＣＳとが含まれる。なお、「サイズ」は各領域のデータサイズ（Octet）を示す。
【００８０】
再び図６を参照すると、ＯＬＴ１は、リンク確認応答メッセージからその送信元を検出することにより、故障したＯＮＵ（＃１）２のＯＮＵ−ＩＤを取得して、故障したＯＮＵ（＃１）２を特定する（符号Ｓ６）。なお、リンク応答メッセージにはＯＮＵ−ＩＤ自体が含まれていてもよい。
【００８１】
このようにして、ＯＬＴ１は、故障したＯＮＵ（＃１）２を特定することができる。したがって、以下に述べるように、通信状態を迅速に復旧することが可能となる。
【００８２】
図９は、通信状態の復旧処理の一例を示すシーケンス図である。本処理は、上記の特定処理の後に実行される。
【００８３】
ＯＬＴ１は、故障したＯＮＵ（＃１）２の特定後、電源指示部１０４により電源オフメッセージ（ＭＳＧ）を生成する（符号Ｓ１１）。ＯＬＴ１は、電源オフメッセージを送信器１６０からＯＮＵ（＃１）２に送信する。このように、ＯＬＴ１は、電源オフメッセージの送信によりＯＮＵ（＃１）２にＬＤ２７１の電源オフを指示する。
【００８４】
図１０、電源オフメッセージを含む下りフレームＦｄの一例を示す図である。下りフレームＦｄには、送信元アドレスであるＳＡ、宛先アドレスであるＤＡ、タイプ（0x8808）、及び、電源オフメッセージの識別コードであるＯｐｃｏｄｅ（0x09）を含む。
【００８５】
下りフレームＦｄには、さらに、通信プロトコルの制御などに用いられる「Timestamp」と、フレーム長の調整用のｐａｄｄｉｎｇ領域と、符号誤り訂正のためのＦＣＳとが含まれる。なお、「サイズ」は各領域のデータサイズ（Octet）を示す。
【００８６】
再び図９を参照すると、ＯＮＵ（＃１）は、電源オフメッセージを含む下りフレームＦｄを受信すると、電源制御部２０３によりＬＤ２７１の電源をオフする（符号Ｓ１２）。より具体的には、電源オフメッセージの受信によりＳＷ２７２がオフ制御されることで、電源ユニット２７３からＬＤ２７１への給電が停止する。これにより、ＯＮＵ（＃１）２の光出力が停止する（符号Ｓ１３）。なお、ＯＮＵ（＃１）２は、電源オフメッセージによりＬＤ２７１だけでなく装置電源をオフにしてもよい。
【００８７】
このため、上り方向ＲｕではＯＮＵ（＃１）２だけがバースト光を送信することになるので、ＯＬＴ１ではバースト光エラーが解除される（符号Ｓ１４）。次に、ＯＬＴ１は、光出力指示部１０２により光出力停止解除メッセージを含む下りフレームＦｄを生成し、送信器１６０からＯＮＵ（＃２〜＃Ｎ）２に送信する。
【００８８】
図１１、光出力停止解除メッセージを含む下りフレームＦｄの一例を示す図である。下りフレームＦｄには、送信元アドレスであるＳＡ、宛先アドレスであるＤＡ、タイプ（0x8808）、及び光出力停止解除メッセージの識別コードであるＯｐｃｏｄｅ（0x0A）を含む。
【００８９】
下りフレームＦｄには、さらに、通信プロトコルの制御などに用いられる「Timestamp」と、フレーム長の調整用のｐａｄｄｉｎｇ領域と、符号誤り訂正のためのＦＣＳとが含まれる。なお、「サイズ」は各領域のデータサイズ（Octet）を示す。
【００９０】
再び図９を参照すると、ＯＮＵ（＃２〜＃Ｎ）２は、光出力停止解除メッセージを含む下りフレームＦｄを受信すると、光出力制御部２０２が光出力停止指示信号ＣＮＴの出力を停止することにより、ＬＤ２７１の光出力を再開する（符号Ｓ１５）。これにより、ＯＬＴ１とＯＮＵ（＃２〜＃Ｎ）２の通信状態が復旧する。
【００９１】
上述した実施例において、ＯＬＴ１は、ＯＮＵ（＃１）２から受信したリンク応答メッセージからＯＮＵ−ＩＤを取得することにより、故障したＯＮＵ（＃１）２を特定したが、これに限定されない。例えば、ＯＮＵ２が、光出力停止メッセージに応じてＯＮＵ−ＩＤをＯＬＴ１に送信すれば、ＯＬＴ１は、上り方向Ｒｕの光信号Ｓｕから直接的にＯＮＵ−ＩＤを検出することができる。
【００９２】
図１２は、故障したＯＮＵ（＃１）２の特定処理の他例を示すシーケンス図である。図１２において、図６と共通する処理には同一の符号を付し、その説明を省略する。なお、本例の特定処理は、実施例の故障検出方法の他例である。
【００９３】
各ＯＮＵ（＃１〜＃Ｎ）２は、ＯＬＴ１から光出力停止メッセージを受信すると、光出力の停止制御（符号Ｓ３）の後、その結果に関わらず、ＯＮＵ−ＩＤを通知するデータパタンの送信制御を行う（符号Ｓ７）。故障したＯＮＵ（＃１）２は、バースト制御信号ＢＳＴの信号電圧がハイレベルに維持されているため、ＯＮＵ−ＩＤ＝１を通知するデータパタンをＯＬＴ１に送信する。また、他のＯＮＵ（＃２〜＃Ｎ）２は、光出力が停止中であるため、ＯＮＵ−ＩＤを通知するデータパタンの送信に失敗する。
【００９４】
ＯＬＴ１は、受信フレーム処理部１５１がデータパタンからＯＮＵ−ＩＤ＝１を検出して、ＯＮＵ−ＩＤの通知ＮＴＦを故障特定部１０３に出力することにより、故障したＯＮＵ（＃１）２を特定する（符号６ａ）。したがって、本例でも、上記の実施例と同様の効果が得られる。なお、ＯＬＴ１とＯＮＵ（＃２〜＃Ｎ）２の通信は、図９に示されたシーケンスが実行されることにより、上記の実施例と同様に復旧する。
【００９５】
図１３は、ＯＮＵ−ＩＤを通知するデータパタンの一例を示す図である。データパタンは、１(Octet)ごとに示され、０ｘ５５，０ｘ５５，０ｘＤ５，０ｘ５５，０ｘＦＦ，ＯＮＵ−ＩＤ（上位側８ビット[15:8]），ＯＮＵ−ＩＤ（下位側８ビット[7:0]）、及びＣＲＣ（Cyclic Redundancy Check）８を含む。なお、ＣＲＣ８は符号誤り訂正に用いられる。
【００９６】
図１４は、本例のＯＮＵ２を示す構成図である。図１４において、図３と共通する構成には同一の符号を付し、その説明を省略する。ＯＮＵ２は、ＣＰＵ２０、ＲＯＭ２１、ＲＡＭ２２、ＨＷ−ＩＦ２３、ＮＷ−ＩＦ２４、受信フレーム処理部２５０、送信フレーム処理部２５１、ドライバ２６０，２６１、ＰＤ２７０、ＬＤ２７１、スイッチ部２７２、及び電源ユニット２７３を有する。
【００９７】
ＣＰＵ２０は、ＲＯＭ２１からプログラムを読み込むと、機能として、動作制御部２００、リンク応答部２０１、光出力制御部２０２ａ、ＩＤ通知部２０４、及び電源制御部２０３が形成される。光出力制御部２０２ａは、ＯＬＴ１からＨＷ−ＩＦ２３を介して光出力停止メッセージを受信する。光出力制御部２０２ａは、光出力停止メッセージを受信すると、ＨＷ−ＩＦ２３を介して光出力停止指示信号ＣＮＴを送信フレーム処理部２５１に出力する。なお、上記の各部２００，２０１，２０２ａ，２０３、２０４は、例えばＦＰＧＡなどのハードウェアにより構成されてもよい。
【００９８】
光出力制御部２０２ａは、光出力停止指示信号ＣＮＴの出力後、ＩＤ通知部２０４に、ＯＮＵ−ＩＤを通知するデータパタンの出力を依頼する。ＩＤ通知部２０４は、ＯＮＵ−ＩＤを通知するデータパタンＰＴＮを生成して、ＨＷ−ＩＦ２３を介して送信フレーム処理部２５１に出力する。送信フレーム処理部２５１は、データパタンＰＴＮをフレームデータＤｕとしてドライバ２６１に出力する。なお、送信フレーム処理部２５１は、データパタンＰＴＮを上りフレームＦｕとして構成せず、図１３に示されるパタンを繰り返し出力する。
【００９９】
このとき、故障したＯＮＵ（＃１）２ではバースト制御信号ＢＳＴの信号電圧がハイレベルに維持されているため、ＬＤ２７１からは、データパタンＰＴＮを含む光信号Ｓｕが送信される。しかし、他のＯＮＵ（＃２〜＃Ｎ）２では、光出力の停止制御によりバースト制御信号ＢＳＴの信号電圧がローレベルに維持されているため、ＬＤ２７１から、データパタンＰＴＮを含む光信号Ｓｕが送信されることがない。
【０１００】
したがって、ＯＬＴ１の故障特定部１０３は、光出力停止メッセージの送信に応じて受信したデータパタンＰＴＮから、故障したＯＮＵ（＃１）２を特定することができる。
【０１０１】
上述した実施形態は本発明の好適な実施の例である。但し、これに限定されるものではなく、本発明の要旨を逸脱しない範囲内において種々変形実施可能である。
【０１０２】
なお、以上の説明に関して更に以下の付記を開示する。
（付記１）  共通の伝送路を介し複数の装置に接続された光伝送装置において、
前記複数の装置に対し、前記伝送路への光出力の停止を指示する第１メッセージと、前記複数の装置の各々の識別子の送信を指示する第２メッセージとを送信する送信部と、
前記第２メッセージの送信に応じて受信した前記識別子から、前記複数の装置のうち、故障した装置を特定する特定部とを有することを特徴とする光伝送装置。
（付記２）  所定時間以上連続する前記複数の装置からの光入力を検出する検出部を有し、
前記送信部は、前記検出部が、前記所定時間以上連続する前記光入力を検出したとき、前記複数の装置に前記第1メッセージを送信することを特徴とする付記１に記載の光伝送装置。
（付記３）  前記送信部は、前記特定部が特定した前記故障した装置に、電源オフを指示する第３メッセージを送信することを特徴とする付記１または２に記載の光伝送装置。
（付記４）  前記送信部は、前記検出部が、前記所定時間以上連続する前記光入力を検出しなくなったとき、前記複数の装置のうち、前記故障した装置以外の各装置に、前記伝送路への光出力の再開を指示する第４メッセージを送信することを特徴とする付記２に記載の光伝送装置。
（付記５）  共通の伝送路を介し複数の装置に接続された光伝送装置において、
前記複数の装置に対し、前記伝送路への光出力の停止を指示する第１メッセージを送信する送信部と、
前記第１メッセージの送信に応じて受信した前記複数の装置の１つの識別子から、前記複数の装置のうち、故障した装置を特定する特定部とを有することを特徴とする光伝送装置。
（付記６）  所定時間以上連続する前記複数の装置からの光入力を検出する検出部を有し、
前記送信部は、前記検出部が、前記所定時間以上連続する前記光入力を検出したとき、前記複数の装置に前記第1メッセージを送信することを特徴とする付記５に記載の光伝送装置。
（付記７）  前記送信部は、前記特定部が特定した前記故障した装置に、電源オフを指示する第３メッセージを送信することを特徴とする付記５または６に記載の光伝送装置。
（付記８）  前記送信部は、前記検出部が、前記所定時間以上連続する前記光入力を検出しなくなったとき、前記複数の装置のうち、前記故障した装置以外の各装置に、前記伝送路への光出力の再開を指示する第４メッセージを送信することを特徴とする付記６に記載の光伝送装置。
（付記９）  光伝送装置と共通の伝送路を介し接続された複数の装置の故障検出方法において、
前記複数の装置に対し、前記伝送路への光出力の停止を指示する第１メッセージを送信し、
前記複数の装置の各々の識別子の送信を指示する第２メッセージを送信し、
前記第２メッセージの送信に応じて受信した前記識別子から、前記複数の装置のうち、故障した装置を特定することを特徴とする故障検出方法。
（付記１０）  所定時間以上連続する前記複数の装置からの光入力を検出したとき、前記複数の装置に前記第1メッセージを送信することを特徴とする付記９に記載の故障検出方法。
（付記１１）  特定した前記故障した装置に、電源オフを指示する第３メッセージを送信することを特徴とする付記９または１０に記載の故障検出方法。
（付記１２）  前記所定時間以上連続する前記光入力を検出されなくなったとき、前記複数の装置のうち、前記故障した装置以外の各装置に、前記伝送路への光出力の再開を指示する第４メッセージを送信することを特徴とする付記１０に記載の故障検出方法。
（付記１３）  光伝送装置と共通の伝送路を介し接続された複数の装置の故障検出方法において、
前記複数の装置に対し、前記伝送路への光出力の停止を指示する第１メッセージを送信し、
前記第１メッセージの送信に応じて受信した前記複数の装置の何れかの識別子から、前記複数の装置のうち、故障した装置を特定することを特徴とする故障検出方法。
（付記１４）  所定時間以上連続する前記複数の装置からの光入力を検出したとき、前記複数の装置に前記第1メッセージを送信することを特徴とする付記１３に記載の故障検出方法。
（付記１５）  特定した前記故障した装置に、電源オフを指示する第３メッセージを送信することを特徴とする付記１３または１４に記載の故障検出方法。
（付記１６）  前記所定時間以上連続する前記光入力を検出されなくなったとき、前記複数の装置のうち、前記故障した装置以外の各装置に、前記伝送路への光出力の再開を指示する第４メッセージを送信することを特徴とする付記１４に記載の故障検出方法。
【符号の説明】
【０１０３】
１                                              ＯＬＴ
２                                              ＯＮＵ
１０，２０                                      ＣＰＵ
９０，９３                                      光ファイバ
１０１                                          リンク確認部
１０２                                          光出力指示部
１０３                                          故障特定部
１０４                                          電源指示部
１５０                                          送信フレーム処理部
１５１                                          受信フレーム処理部
２７１                                          ＬＤ
【図１】
2018113584.tif 000003
【図２】
2018113584.tif 000004
【図３】
2018113584.tif 000005
【図４】
2018113584.tif 000006
【図５】
2018113584.tif 000007
【図６】
2018113584.tif 000008
【図７】
2018113584.tif 000009
【図８】
2018113584.tif 000010
【図９】
2018113584.tif 000011
【図１０】
2018113584.tif 000012
【図１１】
2018113584.tif 000013
【図１２】
2018113584.tif 000014
【図１３】
2018113584.tif 000015
【図１４】
2018113584.tif 000016